(57)【要約】【課題】  手軽に健康便と潜血便を見分けることのできる便潜血照合用のパネルシートの提供。【解決手段】  トイレ内に設置されるパネルシート１であって、該パネルシート１の前面に生体から排泄される便の色と同様な着色模様３・４・５を複数個施して、該各着色模様３・４・５が表示する色と便の色とを照合して、健康状態を即座に確認できるようにすることにより、排便の都度、自身の便が健康便なのか潜血便なのかを極めて手軽に確認することが可能となるので、潜血便であることに気付かずに、手遅れとなることを未然に防止できることは勿論のこと、大腸癌や消化器系疾患の早期発見やその治療にも大いに役立つこととなる。【選択図】  図２
0003151903.tif 000002
【実用新案登録請求の範囲】
【請求項１】
トイレ内に設置されるパネルシートであって、該パネルシートの前面に生体から排泄される便の色と同様な着色模様を複数個施して、該各着色模様が表示する色と便の色とを照合することにより、健康状態を確認できるようにしたことを特徴とする便潜血照合用のパネルシート。
【請求項２】
各着色模様毎に、対応する判定文字を表示したことを特徴とする請求項１記載の便潜血照合用のパネルシート。
【考案の詳細な説明】
【技術分野】
【０００１】
本考案は、生体から排泄された便の健康状態及び潜血状態を確認できる便潜血照合用のパネルシートに関するものである。
【背景技術】
【０００２】
日常生活において、生体排泄物中の成分を測定することは、成人病患者などの早期発見及び予防につながり、非常に重要なこととなってきている。その内、特に、便の潜血検査は、大腸癌や消化器系疾患の早期発見及びその治療のために、多くの医療機関や公共機関で実施されている。
【０００３】
そこで、現今は、家庭で使用される便器に対し、便潜血検査用の便座を付設して、排便の都度、便の潜血検査を行える装置が提案されている（例えば、特許文献１参照）。
従って、この装置は、医療機関や公共機関で便の潜血検査を行わなくても、まずは、排便の都度、家庭で、便の潜血検査が行えるので、大腸癌や消化器系疾患の早期発見に繋がることとなる。
【先行技術文献】
【特許文献】
【０００４】
【特許文献１】特開平１０−３１０１６号公報
【考案の概要】
【考案が解決しようとする課題】
【０００５】
斯かる従来からの便潜血検査用の装置は、確かに、排便の都度、潜血検査が行えるので、大腸癌や消化器系疾患の早期発見やその治療には大きく貢献することが可能となるが、この為には、装置自体が、生体から排泄された便を便器の水封部に没入する前に回収する便回収手段と、該便回収手段で回収した便を溶解液に溶解する便溶解手段と、該便溶解手段で溶解した便溶解液を搬送する搬送手段と、該搬送手段で搬送した便溶解液中の潜血を免疫法で検出する検出手段などを備えなければならないので、自ずと、装置全体が大掛かりになると共に、装置コストが高騰することも否めなかった。
【０００６】
そこで、最近では、極めて手軽に且つコスト低廉に、自身の便がどのような健康状態にあるかを容易に確認できる商品の開発が大いに望まれていた。
【課題を解決するための手段】
【０００７】
本考案は、斯かる事情に鑑み開発されたもので、請求項１記載の考案は、トイレ内に設置されるパネルシートであって、該パネルシートの前面に生体から排泄される便の色と同様な着色模様を複数個施して、該各着色模様が表示する色と便の色とを照合することにより、健康状態を確認できるようにしたことを特徴とする。
【０００８】
請求項２記載の考案は、請求項１を前提として、各着色模様毎に、対応する判定文字を表示したことを特徴とする。
【考案の効果】
【０００９】
依って、請求項１記載の考案にあっては、トイレ内に設置されるパネルシートの前面に、生体から排泄された便の色と同様な着色模様を複数個施して、該各着色模様の色と便の色とを照合できるように構成しているので、排便の都度、自身の便が健康便なのか潜血便なのかを極めて手軽に確認することが可能となる。従って、潜血便であることに気付かずに、手遅れとなることを未然に防止できることは勿論のこと、大腸癌や消化器系疾患の早期発見やその治療にも大いに役立つこととなる。
【００１０】
請求項２記載の考案にあっては、着色模様に加えて、各着色模様毎に対応する判定文字が表示されているので、健康便なのか、或いは、どういう状態の潜血便なのかが即座に確認できることとなる。
【図面の簡単な説明】
【００１１】
【図１】本考案の実施例に係るパネルシートを示す正面図である。
【図２】同パネルシートをトイレの壁に吊り下げた状態を示す要部斜視図である。
【考案を実施するための形態】
【００１２】
本考案は、トイレ内に設置されるパネルシートを前提として、このパネルシートの前面に生体から排泄される便の色と同様な着色模様を複数個施して、該各着色模様が表示する色と便の色とを照合することにより、健康状態を確認できるように構成したので、排便の都度、自身の便が健康便なのか潜血便なのかを極めて手軽に確認することが可能となる。
【実施例】
【００１３】
以下、本考案を図示する好適な実施例に基づいて詳述すれば、該実施例に係るパネルシート１は、図１に示す如く、合成樹脂で横長又は縦長の薄板状に成形され、トイレの壁に吊り下げて使用されるもので、その上部中央には吊下用の穿孔２を形成する一方、中央部に生体から排泄された便の色と同様な着色模様３・４・５を複数個施して、該各着色模様３・４・５が表示する色と便の色を照合することにより、健康状態を即座に確認できるように構成したことを特徴とする。
【００１４】
これを更に詳しく説明すると、上記した着色模様３・４・５は、顔の表情が若干相違するだけで、その他は同一に描かれた犬の模様として３個順に横向きに配列され、該３個の犬の模様に対して、図中、左側の模様３には黄土色を付し、中央の模様４には多少濃い褐色を付し、右側の模様５には黒褐色を付すものとする。何故なら、平均すると、潜血反応のない健康便の色は黄土色であり、潜血反応がある便でも、食べ物の獣肉や魚肉などでもヘモグロビンの作用で変色する場合があるので、この場合は多少濃い褐色であり、これ以外の潜血反応がある便は黒褐色と一般に言われている。依って、斯かる観点に立って、各模様３・４・５に上記の色を選択して付した訳である。
【００１５】
従って、本実施例の下では、黄土色の色は健康色を示し、多少濃い褐色の色は注意色を示し、黒褐色の色は要検査色を示すこととなるので、これを明確にするために、各犬の模様の下部に、健康色６・注意色７・要検査色８の判定文字を積極的に表示するようにすれば、排便の都度、自分の健康状態が極めて手軽に確認できることとなる。この為、自分の便の色が注意色又は要検査色に該当する場合には、これを契機として、専門の医療機関などで検査ができるので、大腸癌や消化器系疾患の早期発見に大いに繋がることとなる。
【００１６】
依って、本実施例に係るパネルシート１の使用に際しては、図２に示す如く、トイレの壁に本パネルシート１を吊り下げれば、これにより、使用に供されることとなるが、排便をする人は、その都度、自身の便の色と上記犬の模様３・４・５に施された３種類の色を照合すれば、現在の健康状態が即座に確認できることとなる。
【００１７】
尚、実施例にあっては、着色模様３・４・５して、顔だけが若干違う同一に描かれた３匹の犬の模様を使用したものであるが、本考案は、これに限定されるものではなく、その他の小動物の猫などの模様を使用することも可能であるが、特に、犬の模様は、違和感のない寧ろ親しみ感があるので、着色模様としては好ましい。この場合、実施例に示す如く、着色模様３・４・５の犬の顔を健康顔・注意顔・要注意顔に相違させれば、犬の表情からでも、健康状態がより一層明確にすることが可能となる。
【００１８】
又、着色模様３・４・５の数も３個に限定されるものでなく、潜血便の色を更に細分化して、４個以上施すことも実施に応じ任意である。
【産業上の利用可能性】
【００１９】
本考案に係る便潜血照合用のパネルシートは、便の色と各着色模様が表示する色とを照合するだけで、健康便か潜血便かを手軽に確認できるので、これを家庭のトイレに設置するだけで、大腸癌や消化器系疾患の早期発見が可能となり、頗る好都合なものとなる。
【符号の説明】
【００２０】
１  パネルシート
２  穿孔
３  黄土色が付された着色模様
４  多少濃い褐色が付された着色模様
５  黒褐色が付された着色模様
６  健康色と表示された判定文字
７  注意色と表示された判定文字
８  要検査色と表示された判定文字
【図１】
0003151903.tif 000003
【図２】
0003151903.tif 000004